(57)【特許請求の範囲】
【請求項１】
縫製生地の縫い終り時に針板の縫い目形成用爪部に連ねて形成される空環を針落ち部よりも縫製進行方向の後方側に設けられた空環切り装置の吸込み管内に吸い込んで縫製生地から切断し、その切断された空環の端部を縫製進行方向とは逆方向へ吹き出される気流により前記針落ち部の手前側に吹き返し移動させ、この吹き返し移動された空環の端部を前記針落ち部の手前側に設けられた空環保持装置により保持させて次の縫製生地の縫製開始に伴い、その縫製生地の縫い始め端の縫い目中に引き込んで縫い込むミシンの空環縫い込み方法であって、
前記空環切り装置の吸込み管の先端側面部には、通常は吸込み管の吸込み口を大きくする位置に移動保持され、かつ、前記気流吹出口部からの気流吹き出し時にはその吹き出し気流により吹き返し移動される空環を前記針と生地端切断用メスとの間の針板上面部分に沿わせて前記針落ち部の手前側に向けて移動案内させる位置に移動される可動式の板状カバー部材、または、前記針板の縫い目形成用爪部の先端部の一部に重なる位置にまで延設され、かつ、その先端部分には、前記針板の上面と略同一高さ位置を下端縁として上下幅の狭い空環案内孔と上下幅の広い空環吸込み口とが縫製進行方向前後に連続して形成されている固定の板状カバー部材が設けられており、
前記空環切り装置の吸込み管内に吸い込まれて切断された空環の端部を、前記空環切り装置の吸込み管の先端部に形成されている気流吹出口部から吹き出される吹き出し気流により、前記可動式の板状カバー部材、または、固定の板状カバー部材に案内させて前記針落ち部に対して上下運動する針と前記縫い目形成用爪部の基端近くの手前部に設けられて縫製生地の端縁を切り揃える生地端切断用メスとの間の針板上面部分に沿わせて前記針落ち部の手前側に吹き返し移動させ、その吹き返し移動された空環の端部を、空環吹き返し移動軌跡に対して縫製進行方向の後方側方位置から斜め前方側方に交差させて噴出される補助気流により前記空環保持装置による保持位置に移動させて保持させることを特徴とするミシンの空環縫い込み方法。
【請求項２】
前記補助気流は、前記針板の側部近くで該針板と略面一のクロスプレートに形成の開口を介してクロスプレートの上方へ突出する状態と下方へ退入する状態とに切換え可能とされたキャップ状の空気弁と、この空気弁の内部に加圧気流を導入する気流導入手段と、前記空気弁の上端部側壁に形成され、この空気弁がクロスプレートの上方へ突出されたとき、その内部に導入された加圧気流をクロスプレート及び針板の上面に沿って噴出する気流噴出孔とを具備してなる補助気流噴出装置の前記気流噴出孔から噴出されるものである請求項１に記載のミシンの空環縫い込み方法。
【請求項３】
縫製生地の縫い終り時に針板の縫い目形成用爪部に連ねて形成される空環を、針落ち部よりも縫製進行方向の後方側に設けられた空環切り装置の吸込み管内に吸い込んで縫製生地から切断し、その切断された空環の端部を縫製進行方向とは逆方向へ吹き出される気流により前記針落ち部の手前側に吹き返し移動させ、この吹き返し移動された空環の端部を前記針落ち部の手前側に設けられた空環保持装置により保持させて次の縫製生地の縫製開始に伴い、その縫製生地の縫い始め端の縫い目中に引き込んで縫い込むように構成されているミシンの空環縫い込み装置であって、
前記空環切り装置の吸込み管の先端部には、該吸込み管内に吸い込まれて切断された空環の端部を前記針落ち部に対して上下運動する針と前記縫い目形成用爪部の基端近くの手前部に設けられて縫製生地の端縁を切り揃える生地端切断用メスとの間の針板上面部分に沿わせて前記針落ち部の手前側に吹き返し移動させるように気流吹出口部が形成されているとともに、
前記空環切り装置の吸込み管の先端側面部には、通常は吸込み管の吸込み口を大きくする位置に移動保持され、かつ、前記気流吹出口部からの気流吹き出し時にはその吹き出し気流により吹き返し移動される空環を前記針と生地端切断用メスとの間の針板上面部分に沿わせて前記針落ち部の手前側に向けて移動案内させる位置に移動される可動式の板状カバー部材、または、前記針板の縫い目形成用爪部の先端部の一部に重なる位置にまで延設され、かつ、その先端部分には、前記針板の上面と略同一高さ位置を下端縁として上下幅の狭い空環案内孔と上下幅の広い空環吸込み口とが縫製進行方向前後に連続して形成されている固定の板状カバー部材が設けられており、
また、前記針落ち部の側方部には、前記吹出口部からの吹き出し気流により針落ち部の手前側まで吹き返し移動された空環の端部を前記空環保持装置による保持位置にまで移動させて保持させるように空環の吹き返し移動軌跡に対して縫製進行方向の後方側方位置から斜め前方に交差させて補助気流を噴出する補助気流噴出装置が設けられていることを特徴とするミシンの空環縫い込み装置。
【請求項４】
前記補助気流噴出装置が、前記針板の側部近くで該針板と略面一のクロスプレートに形成の開口を介してクロスプレートの上方へ突出する状態と下方へ退入する状態とに切換え可能とされたキャップ状の空気弁と、この空気弁の内部に加圧気流を導入する気流導入手段と、前記空気弁の上端部側壁に形成され、この空気弁がクロスプレートの上方へ突出されたとき、その内部に導入された加圧気流をクロスプレート及び針板の上面に沿って噴出する気流噴出孔とを具備して構成されている請求項３に記載のミシンの空環縫い込み装置。
【発明の詳細な説明】
【技術分野】
【０００１】  本発明は、例えばニットＴシャツ、アウトウェア、肌着等の袖口や脇合わせ、ブリーフやショーツ等の脇合わせなどの縫製に適用されるミシンの空環縫い込み方法及び空環縫い込み装置に関する。詳しくは、縫製生地の縫い終り時に針板の縫い目形成用爪部に連ねて形成される空環を次の縫製生地の縫製開始に伴い、その縫製生地の縫い始め端部の縫い目中に引き込んで縫い込む、いわゆる、バックタック縫製を行うことにより、縫い始め端部のほつれを防止するようになされているミシンの空環縫い込み方法及び空環縫い込み装置に関するものである。
【背景技術】
【０００２】  この種の空環縫い込み装置として、従来、縫製生地の縫い終り時に針板の縫い目形成用爪部に連なる空環を、図外のバキュームポンプ等のエア源に接続させて針落ち部よりも縫製進行方向の後方側に設けられた空環切り装置の吸込み管内に吸い込んで該吸込み管内で縫製生地から切断し、その切断された空環を、前記エア源を介して吸込み管内に発生され管先端の吸込み口から縫製進行方向とは逆方向へ噴出されるエア流（気流）により吹き返し、その吹き返された空環を受取って吸引保持する空環吸込ノズルを針板の右側方部を支点として前後方向に往復駆動揺動自在に設け、この空環吸込ノズルを、吹き返し空環の受け取り前進位置から針板の縫い目形成用爪部基端近くの手前（前方）部に設けられた生地端切断用メスの近傍位置に後退移動して待機する中間停止位置を経て、該中間停止位置よりもさらに縫製進行方向とは逆方向へ後退移動させることにより、空環吸込ノズルに吸引保持されている空環を針落ち部の手前側に引張り状態に保持させて次の縫製生地の縫い始め端部の縫い目中に引き込んで縫い込むように構成されたものが知られている（例えば、特許文献１参照）。【０００３】  また、図１１に示すように、空環切り装置１０の空環吸込み管１１内に吸い込んで縫製生地から切断された空環１２を、吸込み管１１先端の吸込み口１１ａから縫製進行方向とは逆方向で針板１３の針落ち部１４に対して上下運動する針（二本針で示すが一本針であってもよい）１５の左側に向けて噴出されるエア流（気流）により針１５の左側を通って針１５の左斜め前方の針板１３上面部分へ吹き返し移動させるとともに、その吹き返し移動された空環１２の端部に向けて、針落ち部１４の左側方部に設けたエアパイプノズル（図示省略する）などから噴出される補助エア流（補助気流）を吹き付けることにより、太矢印Ａで示すような軌跡を経て吹き返される空環１２の端部を針落ち部１４の手前側で針板１３の右側部に設けられた空環保持装置１６に向けて移動させて該保持装置１６に保持させ、次の縫製生地の縫製開始に伴い、その縫製生地の縫い始め端部の縫い目中に引き込んで縫い込むように構成されたものも知られている（例えば、特許文献２、３参照）。【０００４】
【特許文献１】  特許第３５６７２７４号公報
【特許文献２】  特公平５−２８１６０号公報
【特許文献３】  実公平５−４０８７７号公報
【発明の開示】
【発明が解決しようとする課題】
【０００５】  上記した従来の空環縫い込み装置のうち、特許文献１等で知られている前者装置の場合は、針板の右側方部に、前述の空環受け取り前進位置と針落ち部よりも縫製進行方向前方の後退位置との間に亘って往復駆動揺動自在な可動式の空環吸込ノズルが設置されるために、構造的に複雑になるだけでなく、針板の右側部で往復駆動揺動する可動式の空環吸込ノズルが縫製作業の邪魔になりやすく、また、作業者が縫製具合を見ながら縫製作業するときの視覚障害物にもなりやすいという問題がある。【０００６】  一方、特許文献２，３等で知られている後者装置の場合は、空環の吸い込み・切断から縫製進行方向とは逆方向への吹き返し、さらに、その空環の端部の空環保持装置側への移動・保持まで全ての空環移動処理をエア流により行うもので、可動式の空環吸込ノズルの設置が不要であるから、構造的に簡単であるとともに、作業の邪魔や視覚障害となるものがなくなり、前者装置の有する問題を解消することができる反面、この後者装置は次のような問題が未解決のままであった。【０００７】  すなわち、後者装置では、最終的に、図１２に明示するように、針板１３の縫い目形成用爪部１３ａに連ねて形成される空環１２が針１５の左側を通って針落ち部１４手前側の針板１３の右側部に設けられた空環保持装置１６に保持されることになるので、針落ち部１３ａに位置する針糸１７が空環１２によって逆くの字状に押し曲げられることになる。そのため、次の縫製開始に伴い針１５が上下動するとき、針糸１７に張力が生じ、その張力によって針落ち部１４よりも右側に移動していた空環１２の一部分１２ａが針落ち部１４側に引き戻されることがあり、この状態で針１５が下降すると、針１５が引き戻し状態にある空環部分１２ａを貫通通過して縫い目を形成することになるので、その空環部分１２ａは、図１３に示すように、縫製生地１８の縫い目１９中に縫い込まれず、縫製生地１８の縫い始め端部の前縁部１８ｅで団子状になって突出し残存するといったような縫製不良を招く問題があった。【０００８】  本発明は上述の実情に鑑みてなされたもので、構造の簡単化及び作業の邪魔や視覚障害をなくすることができるのはもとより、空環を次の縫製生地の縫い始め端部の縫い目中に確実かつスムーズに縫い込むことができるミシンの空環縫い込み方法及び空環縫い込み装置を提供することを目的としている。
【課題を解決するための手段】
【０００９】  上記目的を達成するために、本発明に係るミシンの空環縫い込み方法は、縫製生地の縫い終り時に針板の縫い目形成用爪部に連ねて形成される空環を針落ち部よりも縫製進行方向の後方側に設けられた空環切り装置の吸込み管内に吸い込んで縫製生地から切断し、その切断された空環の端部を縫製進行方向とは逆方向へ吹き出される気流により前記針落ち部の手前側に吹き返し移動させ、この吹き返し移動された空環の端部を前記針落ち部の手前側に設けられた空環保持装置により保持させて次の縫製生地の縫製開始に伴い、その縫製生地の縫い始め端の縫い目中に引き込んで縫い込むミシンの空環縫い込み方法であって、前記空環切り装置の吸込み管の先端側面部には、通常は吸込み管の吸込み口を大きくする位置に移動保持され、かつ、前記気流吹出口部からの気流吹き出し時にはその吹き出し気流により吹き返し移動される空環を前記針と生地端切断用メスとの間の針板上面部分に沿わせて前記針落ち部の手前側に向けて移動案内させる位置に移動される可動式の板状カバー部材、または、前記針板の縫い目形成用爪部の先端部の一部に重なる位置にまで延設され、かつ、その先端部分には、前記針板の上面と略同一高さ位置を下端縁として上下幅の狭い空環案内孔と上下幅の広い空環吸込み口とが縫製進行方向前後に連続して形成されている固定の板状カバー部材が設けられており、前記空環切り装置の吸込み管内に吸い込まれて切断された空環の端部を、前記空環切り装置の吸込み管の先端部に形成されている気流吹出口部から吹き出される吹き出し気流により、前記可動式の板状カバー部材、または、固定の板状カバー部材に案内させて前記針落ち部に対して上下運動する針と前記縫い目形成用爪部の基端近くの手前部に設けられて縫製生地の端縁を切り揃える生地端切断用メスとの間の針板上面部分に沿わせて前記針落ち部の手前側に吹き返し移動させ、その吹き返し移動された空環の端部を、空環吹き返し移動軌跡に対して縫製進行方向の後方側方位置から斜め前方側方に交差させて噴出される補助気流により前記空環保持装置による保持位置に移動させて保持させることを特徴としている（請求項１）。【００１０】  また、本発明に係るミシンの空環縫い込み装置は、縫製生地の縫い終り時に針板の縫い目形成用爪部に連ねて形成される空環を、針落ち部よりも縫製進行方向の後方側に設けられた空環切り装置の吸込み管内に吸い込んで縫製生地から切断し、その切断された空環の端部を縫製進行方向とは逆方向へ吹き出される気流により前記針落ち部の手前側に吹き返し移動させ、この吹き返し移動された空環の端部を前記針落ち部の手前側に設けられた空環保持装置により保持させて次の縫製生地の縫製開始に伴い、その縫製生地の縫い始め端の縫い目中に引き込んで縫い込むように構成されているミシンの空環縫い込み装置であって、前記空環切り装置の吸込み管の先端部には、該吸込み管内に吸い込まれて切断された空環の端部を前記針落ち部に対して上下運動する針と前記縫い目形成用爪部の基端近くの手前部に設けられて縫製生地の端縁を切り揃える生地端切断用メスとの間の針板上面部分に沿わせて前記針落ち部の手前側に吹き返し移動させるように気流吹出口部が形成されている��ともに、前記空環切り装置の吸込み管の先端側面部には、通常は吸込み管の吸込み口を大きくする位置に移動保持され、かつ、前記気流吹出口部からの気流吹き出し時にはその吹き出し気流により吹き返し移動される空環を前記針と生地端切断用メスとの間の針板上面部分に沿わせて前記針落ち部の手前側に向けて移動案内させる位置に移動される可動式の板状カバー部材、または、前記針板の縫い目形成用爪部の先端部の一部に重なる位置にまで延設され、かつ、その先端部分には、前記針板の上面と略同一高さ位置を下端縁として上下幅の狭い空環案内孔と上下幅の広い空環吸込み口とが縫製進行方向前後に連続して形成されている固定の板状カバー部材が設けられており、また、前記針落ち部の側方部には、前記吹出口部からの吹き出し気流により針落ち部の手前側まで吹き返し移動された空環の端部を前記空環保持装置による保持位置にまで移動させて保持させるように空環の吹き返し移動軌跡に対して縫製進行方向の後方側方位置から斜め前方に交差させて補助気流を噴出する補助気流噴出装置が設けられていることを特徴徴としている（請求項３）。
【発明の効果】
【００１１】  上記のごとき特徴構成を有する本発明に係るミシンの空環縫い込み方法及び空環縫い込み装置によれば、針板の縫い目形成用爪部に連ねて形成されたのち、空環切り装置の吸込み管内に吸い込まれて切断された空環が、吸込み管先端の吹出口から吹出される気流により針と生地端切断用メスとの間の針板上面部分に沿わせて吹き返し移動されるとともに、その吹き返し移動された空環の端部が空環吹き返し移動軌跡に対して交差させて噴出される補助気流により針落ち部手前側の空環保持装置側に移動されて該空環保持装置に保持されるといったように、空環の吸い込み・切断から縫製進行方向とは逆方向への吹き返し、さらに、その端部の空環保持装置側への移動・保持までの全ての空環の移動処理作用を気流を介して行うものであるから、可動式の空環吸込ノズル等の設置が不要で、構造の簡単化とともに、縫製作業の邪魔や視覚障害をなくして作業性の向上を図ることができる。【００１２】  しかも、最終的に、空環を針の右側を通して針糸とは全く干渉させない状態で空環保持装置に保持させることが可能であるから、次の縫製時に針が空環内を貫通通過する事態の発生を確実に回避することができる。したがって、空環を次の縫製生地の縫い始め端部の縫い目中にミスなく確実かつスムーズに縫い込むことができ、空環の一部が縫製生地の縫い始め端部の前縁部に団子状になって突出し残存するなどの縫製不良の発生を確実に防止できる。
加えて、空環切り装置の吸込み管の先端側面部に可動式の板状カバー部材を設ける場合は、針板の縫い目形成用爪部に連ねて形成されている空環を空環切り装置の吸込み管内に吸い込むときには可動式板状カバー部材が針落ち部後方側へ位置移動して吸込み管先端の吸込み口が大きく確保されていることから、空環を吸込み管内にミスなく確実に吸い込ませて所定長さで切断することができるものでありながら、その切断された空環を吹き出し気流により吹き返し移動させるときには可動式板状カバー部材が前方側に位置移動して空環を針落ち部の手前側に向けて移動案内することになるため、空環をできるだけ真っ直ぐに吹き返し移動させて針と生地端切断用メスとの間といった狭い部分に確実かつ安定よく位置させることができる。
また、空環切り装置の吸込み管の先端側面部に固定の板状カバー部材を設ける場合は、針板の縫い目形成用爪部に連ねて形成されている空環を空環切り装置の吸込み管内に吸い込むときには固定板状カバー部材の先端部分に形成されている幅広の空環吸込み口を通して空環を吸込み管内に確実に吸い込ませて所定長さで切断することができるものでありながら、空環を吸込み管から針落ち部に向けて吹き返すときは針板の縫い目形成用爪部の直上位置にまで案内されることになる。したがって、吹き返された空環が針板上面から上方に吹き上げられて、吹き返しの直前に針板上面から上昇し離間している押え金下面側の爪部に絡まるおそれがなく、針と生地端切断用メスとの間といった狭い部分の針板上面に沿って確実かつ円滑に吹き返し移動させることができる。
という効果を奏する。【００１３】  上記構成の本発明に係るミシンの空環縫い込み方法及び空環縫い込み装置における前記の補助気流噴出装置として、針板の側部近くで該針板と略面一のクロスプレートに形成の開口を介してクロスプレートの上方へ突出する状態と下方へ退入する状態とに切換え可能とされたキャップ状の空気弁と、この空気弁の内部に加圧気流を導入する気流導入手段と、前記空気弁の上端部側壁に形成され、この空気弁がクロスプレートの上方へ突出されたとき、その内部に導入された加圧気流をクロスプレート及び針板の上面に沿って噴出する気流噴出孔とを具備してなるものを用いることが好ましい（請求項２及び請求項４）。【００１４】  この場合は、針と生地端切断用メスとの間の針板上面部分に吹き返し移動された空環の端部を空環保持装置側に移動させる補助気流の噴出時にのみ空気弁をクロスプレートの上方へ突出させればよく、それ以外の縫製時にはクロスプレートの下方へ退入させておけばよいので、空気弁が縫製の邪魔になることがなく、縫製生地をクロスプレートの上面に沿わせて円滑に進行させることができる。また、空気弁の上端部側壁に形成の気流噴出孔に切り屑などが詰まってしまい、補助気流による空環端部の移行機能に支障をきたす恐れもなく、長期間使用においても気流による空環移動処理作用を常に確実かつ安定よく行うことができる。
【発明を実施するための最良の形態】
【００１９】  以下、本発明の実施の形態を図面にもとづいて説明する。
図１は本発明に係る空環縫い込み装置付き２本針の縁かがり縫いミシンの全体概略斜視図、図２及び図３はその空環縫い込み装置の主要部の構成を示す斜視図である。なお、本発明に係る空環縫い込み装置において、図１１〜図１３に示した従来の空環縫い込み装置と共通する構成要素については同一の符号を付してそれらの説明を省略あるいは簡略化する。【００２０】  図１において、１は縁かがり縫いミシンＭのクロスプレートで、このクロスプレート１の所定位置には、針落ち部１４及び縫い目形成用爪部１３ａ（図２参照）を有する針板１３が固定されており、縫い目形成用爪部１３ａの基端近くの手前部には縫製生地の端縁を切り揃える生地端切断用メス２（図１，２上では可動上メス部のみを示し、固定下メス部は省略する）が設けられている。また、針板１３の上部には、押え金３のほかに、ミシンベッド部４に支持された針棒、針止めを介して前記針落ち部１４に対し上下に駆動往復運動自在な２本針１５及び針板１３上面への縫製生地の有無を検知して縫製生地有り（暗状態）のとき、ミシンＭの回転を許容する光電式生地センサー（周知であるため、図示省略する）などが設けられているとともに、針板１３に対して縫製進行方向Ｘの後方右側には後述する空環切り装置１０が配置され、かつ、針落ち部１４の手前側の針板１３の右側部には空環保持装置１６が設けられ、さらに、針落ち部１４の手前側で針板１３の左側部近くのクロスプレート１部分には補助気流（以下、補助エア流と称する）噴出装置５が設けられている。【００２１】  前記空環切り装置１０は、図１及び図２，図３に示されているように、先行縫製生地の縫い終り時に針板１３の縫い目形成用爪部１３ａに連なる空環１２（図３参照）を、ベンチュリ管（図示省略する）、ホース６を介して図外のバキュームポンプ等のエア源に接続された吸込み管１１先端の吸込み口１１ａから吸込み管１１内に吸い込み、その吸い込んだ空環１２を吸込管１１の先端部に取付けられている上メス（図示省略する）と図示しない駆動機構を介して上下動する下メス７により縫製生地から切断した後、その切断された空環１２を吸込み管１１内に発生される逆エア流により吸込み口１１ａ側に吹き戻し、続いて、前記エア源に接続され吸込み管１１の右側面部に沿わせて固定保持されたエアパイプ８の先端吹出部８ａから縫製進行方向Ｘとは逆方向Ｙに向け略直線状に吹き出されるエア流によって前記２本針１５の右針と生地端切断用メス２との間の針板上面部分に沿わせて針落ち部１４の手前側に吹き返すように構成されている。【００２２】  この空環切り装置１０の吸込み管１１先端の左側面部には、長孔９及びボルト状ガイド１９を介して縫製進行方向Ｘに沿った一定範囲内で矢印ｘ−ｙ方向に往復スライド移動可能な可動式の板状カバー部材２０が取り付けられている。この可動式板状カバー部材２０は、通常は前記吸込み管１１側に固定の突片１１ｂと板状カバー部材２０側に固定の突片２０ａとの間に張設したバネ２１の付勢力により前記吸込み管１１先端の吸込み口１１ａが大きく開口する位置に移動保持されているとともに、前記エアパイプ８の先端吹出口部８ａからエア流を吹き出す時にはエアシリンダ２２の伸長動作に伴い前記バネ２１の付勢力に抗してｙ方向にスライド移動して前記エア流により吹き返し移動させる空環１２を前記２本針１５の右針と生地端切断用メス２との間の針板上面部分に沿わせて針落ち部１４の手前側に向けて移動案内させるように構成されている。【００２３】  また、前記補助エア流噴出装置５は、図４ないし図６に明示されているように、前記針板１３の左側面部近くで該針板１３と略面一の前記クロスプレート１に円形の開口１ａが穿設され、この開口１ａに、前記クロスプレート１の上面と面一に配置され、かつ、下方に空気室２３が形成された弁ホルダー２４が嵌合されている。この弁ホルダー２４はクロスプレート１の下方に沿って延びる取付部２４ｂにおいてクロスプレート１にボルト２５止めされたブラケット２６にボルト２７を介して固定されているとともに、前記弁ホルダー２４の中心部には前記空気室２３に連通する円形の開口２４ａが穿設され、この開口２４ａに、下端が開放されかつ上端部側壁に補助エア流噴出孔２８ａが形成された円筒形キャップ状の空気弁２８が、その下端外周縁に形成の鍔２８ｂから径方向外方へ突出させたガイド突起２８ｃが係合するように空気室２３の内周壁部に凹設されたガイド溝２３ａを介して回転不能かつ昇降可能（上下動可能）に嵌合保持されている。【００２４】  そして、前記空気弁２８の下端開放部には、該空気弁２８の内部への加圧エア流の導入手段としての加圧エア供給パイプ２９に連通させて前記ブラケット２６に形成された給気通路２６ａの端部が開口接続されているとともに、前記空気室２３の上面壁部と空気弁２８の下端鍔２８ｂとの間には該空気弁２８を下降方向に付勢する圧縮バネ３０が介在されており、この圧縮バネ３０の付勢力により前記空気弁２８を、図４に示すように、その補助エア流噴出孔２８ａが前記クロスプレート１の下方へ退入された状態と、前記パイプ２９及び給気通路２６ａを経て空気弁２８の内部に加圧エアを導入することにより前記空気弁２８を、図５に示すように、その補助エア流噴出孔２８ａが前記クロスプレート１の上方へ突出して補助エア流をクロスプレート１及び針板１３の上面に沿って針落ち部１４の手前側に吹き返し移動される空環１２の移動軌跡に対して縫製進行方向Ｘの後方左側方位置から斜め前方に交差させて噴出する状態とに切換え可能に構成されている。【００２５】  さらに、前記空環保持装置１６は、相互に開閉自在な一対の挟持部材１６ａ，１６ｂからなり、かつ、これら一対の挟持部材１６ａ，１６ｂはシリンダ３１を介して支点軸３２周りで図３の矢印ｃ−ｏ方向に駆動揺動自在で矢印ｏ方向に揺動された位置において空環１２端部の挟持した状態で右方に移動することにより、空環１２を生地端切断用メス２の切断部に案内させて切断するように構成されている。【００２６】  次に、上記のように構成された空環縫い込み装置付き縁かがり縫いミシンによる空環縫い込み動作について説明する。【００２７】  先行縫製生地の縫い終り端が生地センサー（図外）を通過し該センサーが非検知（明状態）となった時点で空環切り装置１０の吸込み管１１が吸い込みを開始して針板１３の縫い目形成用爪部１３ａに連ねて形成される空環１２が吸込み口１１ａから吸込み管１１内��吸い込まれるとともに、その吸い込まれた空環１２が上メス（図示省略する）に対して上下動する下メス７により縫製生地から切断される。その後、押え金３が針板１３の上面から離間するように上昇して、吸込み管１１内に発生される逆エア流により吸込み口１１ａ側に吹き戻される。続いて、その吹き戻された空環１２は、エアパイプ８の先端吹出部８ａから縫製進行方向Ｘとは逆方向Ｙに向けて吹き出されるエア流によって前記２本針１５の右針と生地端切断用メス２との間の針板１３上面部分に沿わせて針落ち部１４の手前側に略直線状に吹き返し移動される。【００２８】  その直後、前記クロスプレート１の下方へ退入されていた補助エア流噴出装置５における空気弁２８が、パイプ２９及び給気通路２６ａを経て該空気弁２８の内部に導入される加圧エアによって上昇されて、図５に示すように、その補助エア流噴出孔２８ａが前記クロスプレート１の上方へ突出し、この突出した補助エア流噴出孔２８ａから噴出される補助エア流が前記針落ち部１４の手前側に吹き返し移動された空環１２に対して縫製進行方向Ｘの後方左側方位置から斜め前方に交差させて吹き付けられることにより、空環１２は、図３の太矢印Ｂで示すように、その端部が空環保持装置１６側に移動されて一対の挟持部材１６ａ，１６ｂとの間に挟持され、次の縫製の準備が完了する。【００２９】  次に、後続縫製生地１８（図８参照）をその縫い始め端部前縁１８ｅが縫製進行方向Ｘで生地端縁切断用メス７とほぼ同一線上に位置するように針板１３上にセットし、それを前記生地センサーが検知（暗状態）すると、押え金３が針板１３の上面に当接するように下降して次の縫製開始が可能な態勢となり、この状態で、ペダルをＯＮすると、ミシンＭが回転し始めて後続縫製生地１８が縫製進行方向Ｘに向けて、その縫い始め端部前縁１８ｅが針板１３の針落ち部１４に到達するまで送られる。この間に針板１３の縫い目形成用爪部１３ａに巻き付いている空環１２は、該爪部１３ａに巻き付いたままである。【００３０】  さらに、後続縫製生地１８が縫製進行方向Ｘに送られて、その縫い始め端部前縁１８ｅが針板１３の縫い目形成用爪部１３ａの先端を越えて縫い始め端部前縁から生地端縁切断用メス２までの寸法が所定長さとなる位置に達したとき、前記空環保持装置１６の一対の挟持部材１６ａ，１６ｂが空環１２を挟持した状態で、生地端切断用メス２の切断部に向けて右方に移動する。【００３１】  そして、前記生地端切断用メス２の切断部に案内された空環１２が縫製生地１８の側端部と共にメス２により切断され、その切断された空環部分が後続縫製生地１８の縫い始め端部の縫い目１９中に引き込まれて縫い込まれることになる。【００３２】  以上のような空環縫い込み動作において、上記実施の形態によれば、針板１３の縫い目形成用爪部１３ａに連ねて形成されたのち、空環切り装置１０の吸込み管１１内に吸い込まれて切断された空環１２が、エア流により針１５と生地端切断用メス２との間の針板１３上面部分に沿わせて吹き返し移動されるとともに、その吹き返し移動された空環１２の端部が補助エア流噴出装置５の噴出孔２８ａから噴出される補助エア流により針落ち部１４手前側の空環保持装置１６側���移動されて該空環保持装置１６に保持（挟持）されるといったように、空環１２の吸い込み・切断から縫製進行方向とは逆方向への吹き返し、さらに、その空環端部の空環保持装置１６側への移動・保持までの空環の移動処理作用を全てエア流を介して行うものであるから、従来用いていた可動式の空環吸込ノズル等の設置が不要で、構造の簡単化が図れるとともに、縫製作業の邪魔や視覚障害をなくして作業性の向上を図ることができる。【００３３】  その上、最終的には、図７に示したように、空環１２を２本針１５の右側を通して針糸１７とは全く干渉させない状態で空環保持装置１６に保持させることが可能であるから、次の縫製時に針１５が空環１２内を貫通通過する事態の発生を確実に回避することができ、したがって、図８に示すように、空環１２を次の縫製生地１８の縫い始め端部の縫い目１９中にミスなく確実かつスムーズに縫い込み、空環の一部が縫製生地１８の縫い始め端部の前縁１８ｅに団子状になって突出し残存するなどの縫製不良の発生を確実に防止できる。【００３４】  また、上記実施の形態のように、空環切り装置１０の吸込み管１１の先端側面部に可動式の板状カバー部材２０を取り付け、この可動式の板状カバー部材２０を、針板１３の縫い目形成用爪部１３ａに連ねて形成されている空環１２を吸込み管１１内に吸い込むときには針落ち部１４の後方側へ位置移動させて吸込み管１１先端の吸込み口１１ａを大きく確保することによって、空環１２をミスなく確実に吸込み管１１内に吸い込ませて所定長さで切断することができるものでありながら、逆エア流により吸込み管１１の吸込み口１１ａ側に吹き戻された空環１２をエアパイプ８の先端吹出部８ａから吹き出されるエア流により吹き返し移動させるときは可動式の板状カバー部材２０を針落ち部１４に近付く方向（ｙ方向）にスライド移動させることによって、空環１２をできるだけ真っ直ぐに吹き返し移動案内させることが可能であり、針１５と生地端切断用メス２との間といった狭い部分に空環１２を確実かつ安定よく位置保持させることができる。【００３５】  なお、上記実施の形態では、空環切り装置１０の吸込み管１１先端の左側面部に可動式の板状カバー部材２０を取り付けたもので説明したかが、これに代えて、図９及び図１０に示すように、吸込み管１１先端の左側面部に固定式板状カバー部材３３を取り付けてもよい。【００３６】  この固定式板状カバー部材３３は、その先端部分３３ａが針板１３の縫い目形成用爪部１３ａの先端部の一部に重なり位置するまで延設されており、その延設された先端部分３３ａに、上下幅の狭い空環案内孔３４ａと上下幅の広い空環吸込み口３４ｂとがそれらの下端縁３４ｅが針板１３の上面と略同一高さに位置する状態で縫製進行方向の前後に連続して形成されているとともに、上下幅の広い空環吸込み口３４ｂ後端の上端部には吸い込まれた空環を上メスと下メス７との切断部に誘導する細長い孔３４ｃが連続して形成されている。なお、この固定式板状カバー部材３３は、長孔３５とボルト３６を介して縫製進行方向前後に位置調整可能に構成されているが、これは、板状カバー部材３３の初期取付け位置を微調整するためのものであって、空環縫い込み動作時��は全く移動させないで位置固定状態で使用されるものである。【００３７】  このような固定式板状カバー部材３３を用いる場合は、針板１３の縫い目形成用爪部１３ａに連ねて形成されている空環１２を空環切り装置１０の吸込み管１１内に吸い込むときには固定板状カバー部材３３の先端部分３３ａに形成されている幅広の空環吸込み口３４ｂを通して空環１２を吸込み管１１内に確実、スムーズに吸い込ませて所定長さで切断することができるものでありながら、吸込み管１１から針落ち部１４に向けて吹き返すときは空環１２を針板１３の縫い目形成用爪部１３ａの直上位置にまで案内させることが可能である。したがって、吹き返された空環１２が針板１３上面から上方に吹き上げられて、吹き返しの直前に針板１３上面から上昇し離間している押え金３下面側の爪部に絡まるおそれがなくなり、針１５と生地端切断用メス２との間といった狭い部分の針板１３上面部分に沿って確実かつ円滑に吹き返し移動させることができる。また、カバー部材３３は空環切り装置１０の吸込み管１１に固定すればよいので、可動式板状カバー部材を採用する場合に比べて、構造簡単かつ低コストに構成しやすい。【００３８】  また、上記実施の形態で説明したように、補助エア流噴出装置５として、クロスプレート１に形成の開口１ａを通して上方へ突出する状態と下方へ退入する状態とに切換え可能で、その上端部側壁に補助エア流噴出孔２８ａが形成された円筒形キャップ状の空気弁２８を使用することによって、通常の縫製時には空気弁２８をクロスプレート１の下方へ退入させておけばよいので、空気弁２８が縫製の邪魔になることがなく、縫製生地をクロスプレート１の上面に沿わせて円滑に進行させることができるとともに、前記エア流噴出孔２８ａに切り屑などが詰まって、補助エア流による空環端部の移行機能に支障をきたす恐れもなく、長期間使用においても補助エア流による空環移動処理作用を常に確実かつ安定よく行うことができるといった利点を有するが、これに代えて、特許文献２，３でみられるように、クロスプレート上で針落ち部の左側方部に補助エア流を噴出するエアパイプノズルを固定的に設けた補助エア流噴出装置を用いてもよい。【００３９】  さらに、上記実施の形態では、２本針の縁かがり縫いミシンＭを図示したが、２本針以外の複数本針の縁かがり縫いミシンに適用しても、上記と同様な作用効果が奏されるものである。
【図面の簡単な説明】
【００４０】
【図１】本発明の実施の形態に係る空環縫い込み装置付き２本針の縁かがり縫いミシンの全体概略斜視図である。
【図２】同上空環縫い込み装置の主要部の構成を示す斜視図である。
【図３】同上空環縫い込み装置の主要部の構成及び動作を示す斜視図である。
【図４】同上空環縫い込み装置における補助エア流噴出装置の構成を示す要部の縦断面図である。
【図５】同上補助エア流噴出装置の動作を説明する要部の拡大縦断面図である。
【図６】同上補助エア流噴出装置の構成要素である空気弁の平面図である。
【図７】同上空環縫い込み装置による空環移動作用の終了時点の状態を示す要部の斜視図である。
【図８】空環縫い込み後の縫製品を示す斜視図である。
【図９】本発明の他の実施の形態に係る空環縫い込み装置付き２本針の縁かがり縫いミシンの要部の拡大斜視図である。
【図１０】同上空環縫い込み装置における空環切り装置の構成を示す要部の側面図である。
【図１１】従来の空環縫い込み装置の主要部の構成及び動作を示す斜視図である。
【図１２】従来の空環縫い込み装置による空環移動作用の終了時点の状態を示す要部の斜視図である。
【図１３】従来の空環縫い込み装置による空環縫い込み後の縫製品を示す斜視図である。
【符号の説明】
【００４１】  １  クロスプレート
１ａ  開口
２  生地端切断用メス
５  補助エア流噴出装置
８ａ  エア流吹出口部
１０  空環切り装置
１１  吸込み管
１１ａ  吸込み口
１２  空環
１３  針板
１３ａ  縫い目形成用爪部
１４  針落ち部
１５  針
１６  空環保持装置
１８  縫製生地
１９  縫い目
２０  可動式板状カバー部材
２８  空気弁
２８ａ  補助エア流噴出孔
２９  加圧エア供給パイプ（補助エア導入手段）
３３  固定式板状カバー部材
３４ａ  空環案内孔
３４ｂ  空環吸込み口
Ｘ  縫製進行方向
Ｙ  縫製進行方向とは逆方向
【図１】
0005218935.tif 000002
【図２】
0005218935.tif 000003
【図３】
0005218935.tif 000004
【図４】
0005218935.tif 000005
【図５】
0005218935.tif 000006
【図６】
0005218935.tif 000007
【図７】
0005218935.tif 000008
【図８】
0005218935.tif 000009
【図９】
0005218935.tif 000010
【図１０】
0005218935.tif 000011
【図１１】
0005218935.tif 000012
【図１２】
0005218935.tif 000013
【図１３】
0005218935.tif 000014